(57)【要約】  PBCH構築および復号が改善された、基地局におけるワイヤレス通信のための装置が提供される。基地局装置はPBCHペイロードを構築し、ビット位置は、対応するビット位置の推定される信頼性に基づいてPBCHの複数のビットを符号化するために選択され、複数のビットは、凍結ビットと、ユーザ機器に知られていない、知られていないビットと、ユーザ機器によって知られている可能性のある、知られている可能性のあるビットとを備える。装置は、複数のSSブロックのうちの少なくとも1つにおいてPBCHペイロードを送信する。PBCHを受信するUEは、連続する復号順序に基づいてPBCHを復号する。連続する復号順序は、たとえば、知られている可能性のあるビットが知られていないビットの前に復号されるような、対応するビットの推定される信頼性に基づくものであってもよい。
2020524927.tif 000002
【特許請求の範囲】
【請求項１】
基地局におけるワイヤレス通信の方法であって、
物理ブロードキャストチャネル(PBCH)ペイロードを構築するステップであって、ビット位置が、前記ビット位置の推定される信頼性に基づいて前記PBCHペイロードの複数のビットを符号化するために選択され、前記複数のビットが、凍結ビットと、ユーザ機器(UE)に知られていない、知られていないビットと、前記UEによって知られている可能性のある、知られている可能性のあるビットとを備える、ステップと、
複数の同期信号(SS)ブロックのうちの少なくとも1つにおいて前記PBCHペイロードを送信するステップと
を備える、方法。
【請求項２】
少なくとも複数の前記知られている可能性のあるビットが、前記知られていないビットより信頼性の低いビット位置を与えられる、請求項1に記載の方法。
【請求項３】
前記凍結ビットが、前記知られている可能性のあるビットより信頼性の低いビット位置を与えられる、請求項1に記載の方法。
【請求項４】
前記知られている可能性のあるビットが、サービングセルによって前記UEに提供されるシステム情報を備える、請求項1に記載の方法。
【請求項５】
前記知られていないビットが誤り検出ビットを備える、請求項1に記載の方法。
【請求項６】
前記PBCHペイロードがポーラ符号化されたPBCHを備える、請求項1に記載の方法。
【請求項７】
基地局におけるワイヤレス通信のための装置であって、
物理ブロードキャストチャネル(PBCH)ペイロードを構築するための手段であって、ビット位置が、前記ビット位置の推定される信頼性に基づいて前記PBCHペイロードの複数のビットを符号化するために選択され、前記複数のビットが、凍結ビットと、ユーザ機器(UE)に知られていない、知られていないビットと、前記UEによって知られている可能性のある、知られている可能性のあるビットとを備える、手段と、
複数の同期信号(SS)ブロックのうちの少なくとも1つにおいて前記PBCHペイロードを送信するための手段と
を備える、装置。
【請求項８】
少なくとも複数の前記知られている可能性のあるビットが、前記知られていないビットより信頼性の低いビット位置を与えられる、請求項7に記載の装置。
【請求項９】
前記凍結ビットが、前記知られている可能性のあるビットより信頼性の低いビット位置を与えられる、請求項7に記載の装置。
【請求項１０】
前記知られている可能性のあるビットが、サービングセルによって前記UEに提供されるシステム情報を備える、請求項7に記載の装置。
【請求項１１】
前記知られていないビットが誤り検出ビットを備える、請求項7に記載の装置。
【請求項１２】
前記PBCHペイロードがポーラ符号化されたPBCHを備える、請求項7に記載の装置。
【請求項１３】
基地局におけるワイヤレス通信のための装置であって、
メモリと、
前記メモリに結合された少なくとも1つのプロセッサとを備え、前記少なくとも1つのプロセッサが、
物理ブロードキャストチャネル(PBCH)ペイロードを構築することであって、ビット位置が、前記ビット位置の推定される信頼性に基づいて前記PBCHペイロードの複数のビットを符号化するために選択され、前記複数のビットが、凍結ビットと、ユーザ機器(UE)に知られていない、知られていないビットと、前記UEによって知られている可能性のある、知られている可能性のあるビットとを備える、構築することと、
複数の同期信号(SS)ブロックのうちの少なくとも1つにおいて前記PBCHペイロードを送信することと
を行うように構成される、装置。
【請求項１４】
少なくとも複数の前記知られている可能性のあるビットが、前記知られていないビットより信頼性の低いビット位置を与えられる、請求項13に記載の装置。
【請求項１５】
前記凍結ビットが、前記知られている可能性のあるビットより信頼性の低いビット位置を与えられる、請求項13に記載の装置。
【請求項１６】
前記知られている可能性のあるビットが、サービングセルによって前記UEに提供されるシステム情報を備える、請求項13に記載の装置。
【請求項１７】
前記知られていないビットが誤り検出ビットを備える、請求項13に記載の装置。
【請求項１８】
前記PBCHペイロードがポーラ符号化されたPBCHを備える、請求項13に記載の装置。
【請求項１９】
基地局におけるワイヤレス通信のためのコンピュータ実行可能コードを記憶するコンピュータ可読記憶媒体であって、
物理ブロードキャストチャネル(PBCH)ペイロードを構築することであって、ビット位置が、前記ビット位置の推定される信頼性に基づいて前記PBCHペイロードの複数のビットを符号化するために選択され、前記複数のビットが、凍結ビットと、ユーザ機器(UE)に知られていない、知られていないビットと、前記UEによって知られている可能性のある、知られている可能性のあるビットとを備る、構築することと、
複数の同期信号(SS)ブロックのうちの少なくとも1つにおいて前記PBCHペイロードを送信することと
を行うためのコードを備える、コンピュータ可読記憶媒体。
【請求項２０】
少なくとも複数の前記知られている可能性のあるビットが、前記知られていないビットより信頼性の低いビット位置を与えられる、請求項19に記載のコンピュータ可読記憶媒体。
【請求項２１】
前記凍結ビットが、前記知られている可能性のあるビットより信頼性の低いビット位置を与えられる、請求項19に記載のコンピュータ可読記憶媒体。
【請求項２２】
前記知られている可能性のあるビットが、サービングセルによって前記UEに提供されるシステム情報を備える、請求項19に記載のコンピュータ可読記憶媒体。
【請求項２３】
前記知られていないビットが誤り検出ビットを備える、請求項19に記載のコンピュータ可読記憶媒体。
【請求項２４】
前記PBCHペイロードがポーラ符号化されたPBCHを備える、請求項19に記載のコンピュータ可読記憶媒体。
【請求項２５】
第1のセルによってサービスされるユーザ機器(UE)におけるワイヤレス通信の方法であって、
複数の同期信号(SS)ブロックのうちの少なくとも1つにおいて第2のセルの物理ブロードキャストチャネル(PBCH)ペイロードを受信するステップであって、各SSブロックが対応するタイミング情報を備え、前記PBCHペイロードが、凍結ビットと、前記UEに知られていない、知られていないビットと、前記UEによって知られている可能性のある、知られている可能性のあるビットとを備え、前記知られている可能性のあるビットが、前記第1のセルによって前記UEに提供されるシステム情報を備える、ステップと、
連続する復号順序に基づいて前記PBCHペイロードを復号するステップと
を備える、方法。
【請求項２６】
前記連続する復号順序が、対応するビットの推定される信頼性に基づく、請求項25に記載の方法。
【請求項２７】
前記知られている可能性のあるビットが、前記知られていないビットの前に復号される、請求項25に記載の方法。
【請求項２８】
前記知られている可能性のあるビットが、前記第1のセルによって前記UEに提供されるシステム情報を備える、請求項25に記載の方法。
【請求項２９】
前記PBCHペイロードがポーラ符号化されたPBCHを備える、請求項25に記載の方法。
【請求項３０】
前記第1のセルから、セル品質を報告する前に前記第2のセルのセル識別子(ID)に対応する複数の知られている可能性のあるビットを受信するステップと、
受信されたSSブロックから前記第2のセルのセルIDを検出するステップとをさらに備え、
前記PBCHペイロードが、前記第1のセルから受信された前記知られている可能性のあるビットを使用して、前記連続する復号順序に基づいて復号される、請求項25に記載の方法。
【請求項３１】
受信されたSSブロックから前記第2のセルのセル識別子(ID)を検出するステップと、
前記第2のセルの前記セルIDを前記第1のセルに報告するステップと、
前記セルIDを前記報告したことに応答して、前記第1のセルから、前記第2のセルの前記セルIDに対応する複数の知られている可能性のあるビットを受信するステップとをさらに備え、
前記PBCHペイロードが、前記第1のセルから受信された前記知られている可能性のあるビットを使用して、前記連続する復号順序に基づいて復号される、請求項25に記載の方法。
【請求項３２】
第1のセルによってサービスされるユーザ機器(UE)におけるワイヤレス通信のための装置であって、
複数の同期信号(SS)ブロックのうちの少なくとも1つにおいて第2のセルの物理ブロードキャストチャネル(PBCH)ペイロードを受信するための手段であって、各SSブロックが対応するタイミング情報を備え、前記PBCHペイロードが、凍結ビットと、前記UEに知られていない、知られていないビットと、前記UEによって知られている可能性のある、知られている可能性のあるビットとを備え、前記知られている可能性のあるビットが、前記第1のセルによって前記UEに提供されるシステム情報を備える、手段と、
連続する復号順序に基づいて前記PBCHペイロードを復号するための手段と
を備える、装置。
【請求項３３】
前記連続する復号順序が、対応するビットの推定される信頼性に基づく、請求項32に記載の装置。
【請求項３４】
前記知られている可能性のあるビットが、前記知られていないビットの前に復号される、請求項32に記載の装置。
【請求項３５】
前記知られている可能性のあるビットが、前記第1のセルによって前記UEに提供されるシステム情報を備える、請求項32に記載の装置。
【請求項３６】
前記PBCHペイロードがポーラ符号化されたPBCHを備える、請求項32に記載の装置。
【請求項３７】
前記第1のセルから、セル品質を報告する前に前記第2のセルのセル識別子(ID)に対応する複数の知られている可能性のあるビットを受信するための手段と、
受信されたSSブロックから前記第2のセルのセルIDを検出するための手段とをさらに備え、
前記PBCHペイロードが、前記第1のセルから受信された前記知られている可能性のあるビットを使用して、前記連続する復号順序に基づいて復号される、請求項32に記載の装置。
【請求項３８】
受信されたSSブロックから前記第2のセルのセル識別子(ID)を検出するための手段と、
前記第2のセルの前記セルIDを前記第1のセルに報告するための手段と、
前記セルIDを前記報告したことに応答して、前記第1のセルから、前記第2のセルの前記セルIDに対応する複数の知られている可能性のあるビットを受信するための手段とをさらに備え、
前記PBCHペイロードが、前記第1のセルから受信された前記知られている可能性のあるビットを使用して、前記連続する復号順序に基づいて復号される、請求項32に記載の装置。
【請求項３９】
第1のセルによってサービスされるユーザ機器(UE)におけるワイヤレス通信のための装置であって、
メモリと、
前記メモリに結合された少なくとも1つのプロセッサとを備え、前記少なくとも1つのプロセッサが、
複数の同期信号(SS)ブロックのうちの少なくとも1つにおいて第2のセルの物理ブロードキャストチャネル(PBCH)ペイロードを受信することであって、各SSブロックが対応するタイミング情報を備え、前記PBCHペイロードが、凍結ビットと、前記UEに知られていない、知られていないビットと、前記UEによって知られている可能性のある、知られている可能性のあるビットとを備え、前記知られている可能性のあるビットが、前記第1のセルによって前記UEに提供されるシステム情報を備える、受信することと、
連続する復号順序に基づいて前記PBCHペイロードを復号することと
を行うように構成される、装置。
【請求項４０】
前記連続する復号順序が、対応するビットの推定される信頼性に基づく、請求項39に記載の装置。
【請求項４１】
前記知られている可能性のあるビットが、前記知られていないビットの前に復号される、請求項39に記載の装置。
【請求項４２】
前記知られている可能性のあるビットが、前記第1のセルによって前記UEに提供されるシステム情報を備える、請求項39に記載の装置。
【請求項４３】
前記PBCHペイロードがポーラ符号化されたPBCHを備える、請求項39に記載の装置。
【請求項４４】
前記少なくとも1つのプロセッサがさらに、
前記第1のセルから、セル品質を報告する前に前記第2のセルのセル識別子(ID)に対応する複数の知られている可能性のあるビットを受信し、
受信されたSSブロックから前記第2のセルのセルIDを検出するように構成され、
前記PBCHペイロードが、前記第1のセルから受信された前記知られている可能性のあるビットを使用して、前記連続する復号順序に基づいて復号される、請求項39に記載の装置。
【請求項４５】
前記少なくとも1つのプロセッサがさらに、
受信されたSSブロックから前記第2のセルのセル識別子(ID)を検出し、
前記第2のセルの前記セルIDを前記第1のセルに報告し、
前記セルIDを前記報告したことに応答して、前記第1のセルから、前記第2のセルの前記セルIDに対応する複数の知られている可能性のあるビットを受信するように構成され、
前記PBCHペイロードが、前記第1のセルから受信された前記知られている可能性のあるビットを使用して、前記連続する復号順序に基づいて復号される、請求項39に記載の装置。
【請求項４６】
第1のセルによってサービスされるユーザ機器(UE)におけるワイヤレス通信のためのコンピュータ実行可能コードを記憶するコンピュータ可読記憶媒体であって、
複数の同期信号(SS)ブロックのうちの少なくとも1つにおいて第2のセルの物理ブロードキャストチャネル(PBCH)ペイロードを受信することであって、各SSブロックが対応するタイミング情報を備え、前記PBCHペイロードが、凍結ビットと、前記UEに知られていない、知られていないビットと、前記UEによって知られている可能性のある、知られている可能性のあるビットとを備え、前記知られている可能性のあるビットが、前記第1のセルによって前記UEに提供されるシステム情報を備える、受信することと
連続する復号順序に基づいて前記PBCHペイロードを復号することと
を行うためのコードを備える、コンピュータ可読記憶媒体。
【請求項４７】
前記連続する復号順序が、対応するビットの推定される信頼性に基づく、請求項46に記載のコンピュータ可読記憶媒体。
【請求項４８】
前記知られている可能性のあるビットが、前記知られていないビットの前に復号される、請求項46に記載のコンピュータ可読記憶媒体。
【請求項４９】
前記知られている可能性のあるビットが、前記第1のセルによって前記UEに提供されるシステム情報を備える、請求項46に記載のコンピュータ可読記憶媒体。
【請求項５０】
前記PBCHペイロードがポーラ符号化されたPBCHを備える、請求項46に記載のコンピュータ可読記憶媒体。
【請求項５１】
前記第1のセルから、セル品質を報告する前に前記第2のセルのセル識別子(ID)に対応する複数の知られている可能性のあるビットを受信し、
受信されたSSブロックから前記第2のセルのセルIDを検出する
ためのコードをさらに備え、
前記PBCHペイロードが、前記第1のセルから受信された前記知られている可能性のあるビットを使用して、前記連続する復号順序に基づいて復号される、請求項46に記載のコンピュータ可読記憶媒体。
【請求項５２】
受信されたSSブロックから前記第2のセルのセル識別子(ID)を検出し、
前記第2のセルの前記セルIDを前記第1のセルに報告し、
前記セルIDを前記報告したことに応答して、前記第1のセルから、前記第2のセルの前記セルIDに対応する複数の知られている可能性のあるビットを受信する
ためのコードをさらに備え、
前記PBCHペイロードが、前記第1のセルから受信された前記知られている可能性のあるビットを使用して、前記連続する復号順序に基づいて復号される、請求項46に記載のコンピュータ可読記憶媒体。
【発明の詳細な説明】
【技術分野】
【０００１】
関連技術の相互参照
本出願は、その全体が参照により本明細書に明確に組み込まれる、2017年6月12日に出願された「Synchronization Signal for a Physical Broadcast Channel」と題する米国仮出願第62/518,589号、および2018年3月20日に出願された「SYNCHRONIZATION SIGNAL FOR A BROADCAST CHANNEL」と題する米国特許出願第15/926,884号の利益を主張する。
【０００２】
本開示は全般に通信システムに関し、より詳細には、同期信号およびブロードキャストチャネルに関する。
【背景技術】
【０００３】
ワイヤレス通信システムは、電話、ビデオ、データ、メッセージング、およびブロードキャストなどの、様々な電気通信サービスを提供するために広く展開されている。典型的なワイヤレス通信システムは、利用可能なシステムリソースを共有することによって複数のユーザとの通信をサポートすることが可能な多元接続技術を利用することがある。そのような多元接続技術の例には、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システム、および時分割同期符号分割多元接続(TD-SCDMA)システムがある。
【０００４】
これらの多元接続技術は、異なるワイヤレスデバイスが都市、国家、地域、さらには地球規模で通信することを可能にする共通プロトコルを提供するために、様々な電気通信規格において採用されている。例示的な電気通信規格は5G New Radio(NR)である。5G NRは、レイテンシ、信頼性、セキュリティ、スケーラビリティ(たとえば、Internet of Things(IoT)との)と関連付けられる新しい要件、および他の要件を満たすように、第3世代パートナーシッププロジェクト(3GPP)によって公表された継続的なモバイルブロードバンドの進化の一部である。5G NRのいくつかの態様は、4G Long Term Evolution(LTE)規格に基づくことがある。5G NR技術のさらなる改善の必要がある。これらの改善はまた、他の多元接続技術、およびこれらの技術を採用する電気通信規格にも適用可能であることがある。
【０００５】
NRでは、複数のバーストセット、たとえばL個の同期信号(SS)ブロックのビーム掃引が、ブロードキャストチャネル(BCH)送信時間間隔(TTI)内で基地局によって送信されることがある。バーストセットは、1つの完全なビーム掃引を備えるSSブロックのセットであってもよい。
【発明の概要】
【課題を解決するための手段】
【０００６】
以下は、そのような態様の基本的理解を可能にするために、1つまたは複数の態様の簡略化された概要を提示する。この概要は、すべての考えられる態様の包括的な概説ではなく、すべての態様の主要または重要な要素を特定することも、いずれかまたはすべての態様の範囲を定めることも意図していない。その唯一の目的は、後で提示されるより詳細な説明の導入として、1つまたは複数の態様のいくつかの概念を簡略化された形で提示することである。
【０００７】
物理ブロードキャストチャネル(PBCH)ペイロードは、凍結ビットなどの、ユーザ機器(UE)にすでに知られている符号化されたビットを含むことがある。PBCHペイロードは、UEに知られている可能性のある符号化されたビットを含むことがあり、UEは、知られていない情報の残りのセットのためだけにPBCHを復号する必要があることがある。本明細書で提示される態様は、基地局におけるPBCH構築およびUEによるPBCH復号性能を改善する。基地局は、情報のビット位置を、凍結ビット、知られている可能性のある情報、および知られていない情報をその情報が備えるかどうかに基づいて選択することによって、PBCHを構築してもよい。たとえば、基地局は、知られている可能性のあるビットの少なくともいくつかに、知られていないビットより信頼性の低いビット位置を与えてもよく、凍結ビットに、知られている可能性のあるビットより信頼性の低いビット位置を与えてもよい。UEは、知られている可能性のあるビットが最初に復号され、知られていないビットの少なくとも一部が続いて復号されるような、連続する復号順序を使用してPBCHを復号してもよい。
【０００８】
本開示のある態様では、基地局におけるワイヤレス通信のための方法、コンピュータ可読媒体、および装置が提供される。装置はPBCHペイロードを構築し、ビット位置は、対応するビット位置の推定される信頼性に基づいてPBCHの複数のビットを符号化するために選択され、複数のビットは、凍結ビットと、ユーザ機器に知られていない、知られていないビットと、ユーザ機器によって知られている可能性のある、知られている可能性のあるビットとを備える。装置は、複数のSSブロックのうちの少なくとも1つにおいてPBCHペイロードを送信する。
【０００９】
本開示の別の態様では、第1の基地局によってサービスされるUEにおけるワイヤレス通信のための方法、コンピュータ可読媒体、および装置が提供される。装置は、複数のSSブロックのうちの少なくとも1つにおいて第2のセルのPBCHペイロードを受信し、各SSブロックは対応するタイミング情報を備え、PBCHペイロードは、凍結ビットと、ユーザ機器に知られていない、知られていないビットと、ユーザ機器によって知られている可能性のある、知られている可能性のあるビットとを備える。知られている可能性のあるビットは、第1のセルによってUEに提供されるシステム情報を備えてもよい。装置は、連続する復号順序に基づいてPBCHを復号する。連続する復号順序は、たとえば、知られている可能性のあるビットが知られていないビットの前に復号されるような、対応するビットの推定される信頼性に基づくものであってもよい。
【００１０】
上記の目的および関係する目的の達成のために、1つまたは複数の態様が、以下で十分に説明されるとともに特に特許請求の範囲において指摘される特徴を備える。以下の説明および添付の図面は、1つまたは複数の態様のいくつかの例示的な特徴を詳細に記載する。しかしながら、これらの特徴は、様々な態様の原理が採用されてもよい様々な方法のうちのいくつかを示すものにすぎず、この説明は、そのようなすべての態様およびそれらの均等物を含むものとする。
【図面の簡単な説明】
【００１１】
【図１】ワイヤレス通信システムおよびアクセスネットワークの例を示す図である。
【図２Ａ】DLフレーム構造の例を示す図である。
【図２Ｂ】DLフレーム構造内のDLチャネルの例を示す図である。
【図２Ｃ】ULフレーム構造の例を示す図である。
【図２Ｄ】ULフレーム構造内のULチャネルの例を示す図である。
【図３】アクセスネットワークの中の基地局およびUEの例を示す図である。
【図４】UEと通信している基地局を示す図である。
【図５】PBCH送信のための例示的なバースト、バーストセット、およびBCH TTIを示す図である。
【図６Ａ】ペアのセットに対する例示的なSSブロックインデックス構造および対応する例示的な仮定を示す図である。
【図６Ｂ】ペアのセットに対する例示的なSSブロックインデックス構造および対応する例示的な仮定を示す図である。
【図７】UEと基地局との間のワイヤレス通信の例を示す図である。
【図８】ワイヤレス通信の方法のフローチャートである。
【図９】例示的な装置の中の異なる手段/構成要素間のデータフローを示す概念データフロー図である。
【図１０】処理システムを利用する装置のハードウェア実装形態の例を示す図である。
【図１１】ワイヤレス通信の方法のフローチャートである。
【図１２】例示的な装置の中の異なる手段/構成要素間のデータフローを示す概念データフロー図である。
【図１３】処理システムを利用する装置のハードウェア実装形態の例を示す図である。
【図１４】SSブロックにおいて搬送されるべきタイミング情報の例を示す図である。
【発明を実施するための形態】
【００１２】
添付の図面に関して以下に記載される発明を実施するための形態は、様々な構成の説明として意図されており、本明細書で説明される概念が実践されてもよい唯一の構成を表すことは意図されていない。詳細な説明は、様々な概念の完全な理解を与える目的で、具体的な詳細を含む。しかしながら、これらの概念はこれらの具体的な詳細なしに実践されてもよいことが、当業者には明らかであろう。いくつかの事例では、そのような概念を不明瞭にすることを回避するために、よく知られている構造および構成要素がブロック図の形態で示される。
【００１３】
以下で、電気通信システムのいくつかの態様が、様々な装置および方法を参照して提示される。これらの装置および方法は、以下の詳細な説明において説明され、(「要素」と総称される)様々なブロック、構成要素、回路、プロセス、アルゴリズムなどによって添付の図面において示される。これらの要素は、電子ハードウェア、コンピュータソフトウェア、またはそれらの任意の組合せを使用して実装されてもよい。そのような要素がハードウェアとして実装されるか、またはソフトウェアとして実装されるかは、具体的な適用例および全体的なシステムに課される設計制約に依存する。
【００１４】
例として、要素、または要素の任意の部分、または要素の任意の組合せは、1つまたは複数のプロセッサを含む「処理システム」として実装されることがある。プロセッサの例には、マイクロプロセッサ、マイクロコントローラ、グラフィックス処理ユニット(GPU)、中央処理ユニット(CPU)、アプリケーションプロセッサ、デジタル信号プロセッサ(DSP)、縮小命令セットコンピューティング(RISC)プロセッサ、システムオンチップ(SoC)、ベースバンドプロセッサ、フィールドプログラマブルゲートアレイ(FPGA)、プログラマブル論理デバイス(PLD)、ステートマシン、ゲート論理、個別ハードウェア回路、および本開示全体にわたって説明される様々な機能を実行するように構成された他の適切なハードウェアがある。処理システムの中の1つまたは複数のプロセッサは、ソフトウェアを実行してもよい。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアコンポーネント、アプリケーション、ソフトウェアアプリケーション、ソフトウェアパッケージ、ルーチン、サブルーチン、オブジェクト、実行ファイル、実行スレッド、プロシージャ、関数などを意味するように広く解釈されるべきである。
【００１５】
したがって、1つまたは複数の例示的な実施形態では、説明される機能は、ハードウェア、ソフトウェア、またはそれらの任意の組合せで実装されることがある。ソフトウェアで実装される場合、機能は、コンピュータ可読媒体上に記憶されるか、またはコンピュータ可読媒体上に1つまたは複数の命令もしくはコードとして符号化されることがある。コンピュータ可読媒体は、コンピュータ記憶媒体を含む。記憶媒体は、コンピュータによってアクセス可能な任意の利用可能な媒体であってもよい。限定ではない例として、そのようなコンピュータ可読媒体は、ランダムアクセスメモリ(RAM)、読取り専用メモリ(ROM)、電気的消去可能プログラマブルROM(EEPROM)、光ディスクストレージ、磁気ディスクストレージ、他の磁気ストレージデバイス、上述のタイプのコンピュータ可読媒体の組合せ、または、コンピュータによってアクセス可能な命令もしくはデータ構造の形態のコンピュータ実行可能コードを記憶するために使用可能な任意の他の媒体を備えることができる。
【００１６】
図1は、ワイヤレス通信システムおよびアクセスネットワーク100の例を示す図である。(ワイヤレスワイドエリアネットワーク(WWAN)とも呼ばれる)ワイヤレス通信システムは、基地局102と、UE104と、Evolved Packet Core(EPC)160とを含む。基地局102は、マクロセル(高電力セルラー基地局)および/またはスモールセル(低電力セルラー基地局)を含むことがある。マクロセルは基地局を含む。スモールセルは、フェムトセル、ピコセル、およびマイクロセルを含む。
【００１７】
(Evolved Universal Mobile Telecommunications System(UMTS) Terrestrial Radio Access Network(E-UTRAN)と総称される)基地局102は、バックホールリンク132(たとえば、S1インターフェース)を通じてEPC160とインターフェースする。他の機能に加えて、基地局102は、ユーザデータの転送、無線チャネルの暗号化および解読、完全性保護、ヘッダ圧縮、モビリティ制御機能(たとえば、ハンドオーバー、デュアル接続性)、セル間干渉協調、接続セットアップおよび解放、負荷分散、非アクセス層(NAS)メッセージのための分配、NASノード選択、同期、無線アクセスネットワーク(RAN)共有、マルチメディアブロードキャストマルチキャストサービス(MBMS)、加入者および機器の追跡、RAN情報管理(RIM)、ページング、測位、ならびに警告メッセージの配信という機能のうちの、1つまたは複数を実行してもよい。基地局102は、バックホールリンク134(たとえば、X2インターフェース)上で互いに直接的または(たとえば、EPC160を介して)間接的に通信してもよい。バックホールリンク134は、有線またはワイヤレスであってもよい。
【００１８】
基地局102は、UE104とワイヤレスに通信することがある。基地局102の各々は、それぞれの地理的カバレッジエリア110に通信カバレッジを提供することがある。重複する地理的カバレッジエリア110が存在することがある。たとえば、スモールセル102'は、1つまたは複数のマクロ基地局102のカバレッジエリア110と重複するカバレッジエリア110'を有することがある。スモールセルとマクロセルの両方を含むネットワークは、異種ネットワークとして知られていることがある。異種ネットワークは、限定加入者グループ(CSG)として知られる限定グループにサービスを提供することがあるHome Evolved Node B(eNB)(HeNB)を含むこともある。基地局102とUE104との間の通信リンク120は、UE104から基地局102への(逆方向リンクとも呼ばれる)アップリンク(UL)送信、および/または基地局102からUE104への(順方向リンクとも呼ばれる)ダウンリンク(DL)送信を含むことがある。通信リンク120は、空間多重化、ビームフォーミング、および/または送信ダイバーシティを含む、多入力多出力(MIMO)アンテナ技術を使用することがある。通信リンクは、1つまたは複数のキャリアを介することがある。基地局102/UE104は、各方向における送信に使用される合計YxMHz(x個のコンポーネントキャリア)までのキャリアアグリゲーションにおいて割り振られた、キャリア当たりYMHz(たとえば、5、10、15、20、100MHz)までの帯域幅のスペクトルを使用することがある。キャリアは、互いに隣接することも、隣接しないこともある。キャリアの割振りは、DLおよびULに対して非対称であってもよい(たとえば、DLの場合、ULの場合よりも多いかまたは少ないキャリアが割り振られることがある)。コンポーネントキャリアは、1次コンポーネントキャリアと、1つまたは複数の2次コンポーネントキャリアとを含むことがある。1次コンポーネントキャリアは1次セル(PCell)と呼ばれることがあり、2次コンポーネントキャリアは2次セル(SCell)と呼ばれることがある。
【００１９】
いくつかのUE104は、デバイスツーデバイス(D2D)通信リンク192を使用して、互いに通信することがある。D2D通信リンク192は、DL/UL WWANスペクトルを使用することがある。D2D通信リンク192は、物理サイドリンクブロードキャストチャネル(PSBCH)、物理サイドリンク発見チャネル(PSDCH)、物理サイドリンク共有チャネル(PSSCH)、および物理サイドリンク制御チャネル(PSCCH)などの、1つまたは複数のサイドリンクチャネルを使用することがある。D2D通信は、たとえば、FlashLinQ、WiMedia、Bluetooth(登録商標)、ZigBee、IEEE 802.11規格に基づくWi-Fi、LTE、またはNRなどの、様々なワイヤレスD2D通信システムを通じたものであってもよい。
【００２０】
ワイヤレス通信システムは、5GHzの免許不要周波数スペクトルにおいて通信リンク154を介してWi-Fi局(STA)152と通信しているWi-Fiアクセスポイント(AP)150をさらに含むことがある。免許不要周波数スペクトルにおいて通信するとき、STA152/AP150は、チャネルが利用可能であるかどうかを決定するために、通信するより前にクリアチャネルアセスメント(CCA)を実行してもよい。
【００２１】
スモールセル102'は、免許周波数スペクトルおよび/または免許不要周波数スペクトルにおいて動作することがある。免許不要周波数スペクトルにおいて動作しているとき、スモールセル102'は、NRを利用し、Wi-Fi AP150によって使用されるのと同じ5GHzの免許不要周波数スペクトルを使用することがある。免許不要周波数スペクトルにおいてNRを利用するスモールセル102'は、アクセスネットワークへのカバレッジを拡大し、かつ/またはアクセスネットワークの容量を増やしてもよい。
【００２２】
gNodeB(gNB)180は、UE104と通信するときにミリメートル波(mmW)周波数および/または準mmW周波数(near mmW frequency)で動作することがある。gNB180がmmW周波数または準mmW周波数で動作するとき、gNB180はmmW基地局と呼ばれることがある。極高周波数(EHF)は、電磁スペクトルにおいてRFの一部である。EHFは、30GHz〜300GHzの範囲および1ミリメートルから10ミリメートルの間の波長を有する。この帯域における電波は、ミリメートル波と呼ばれることがある。準mmWは、100ミリメートルの波長を有し、3GHzの周波数まで及ぶことがある。超高周波数(SHF)帯域は、センチメートル波とも呼ばれ、3GHzから30GHzの間に及ぶ。mmW/準mmW無線周波数帯域を使用する通信は、極めて高い経路損失および短い範囲を有する。mmW基地局180は、極めて高い経路損失および短距離を補償するために、UE104に対してビームフォーミング184を利用することがある。
【００２３】
EPC160は、モビリティ管理エンティティ(MME)162と、他のMME164と、サービングゲートウェイ166と、マルチメディアブロードキャストマルチキャストサービス(MBMS)ゲートウェイ168と、ブロードキャストマルチキャストサービスセンター(BM-SC)170と、パケットデータネットワーク(PDN)ゲートウェイ172とを含んでもよい。MME162は、ホーム加入者サーバ(HSS)174と通信していることがある。MME162は、UE104とEPC160との間のシグナリングを処理する制御ノードである。一般に、MME162はベアラと接続管理とを提供する。すべてのユーザインターネットプロトコル(IP)パケットは、サービングゲートウェイ166を通じて転送され、サービングゲートウェイ166自体はPDNゲートウェイ172に接続される。PDNゲートウェイ172は、UEのIPアドレス割振りならびに他の機能を提供する。PDNゲートウェイ172およびBM-SC170は、IPサービス176に接続される。IPサービス176は、インターネット、イントラネット、IPマルチメディアサブシステム(IMS)、PSストリーミングサービス、および/または他のIPサービスを含んでもよい。BM-SC170は、MBMSユーザサービスのプロビジョニングおよび配信のための機能を提供することがある。BM-SC170は、コンテンツプロバイダMBMS送信のためのエントリポイントとして働くことがあり、公衆陸上移動網(PLMN)内のMBMSベアラサービスを認可および開始するために使用されることがあり、MBMS送信をスケジューリングするために使用されることがある。MBMSゲートウェイ168は、特定のサービスをブロードキャストするマルチキャストブロードキャスト単一周波数ネットワーク(MBSFN)エリアに属する基地局102にMBMSトラフィックを配信するために使用されることがあり、セッション管理(開始/停止)およびeMBMS関係の課金情報を収集することを担うことがある。
【００２４】
基地局は、gNB、Node B、evolved Node B(eNB)、アクセスポイント、トランシーバ基地局、無線基地局、無線トランシーバ、トランシーバ機能、基本サービスセット(BSS)、拡張サービスセット(ESS)、または他の何らかの適切な用語で呼ばれることもある。基地局102は、UE104にEPC160へのアクセスポイントを提供する。UE104の例には、携帯電話、スマートフォン、セッション開始プロトコル(SIP)電話、ラップトップ、携帯情報端末(PDA)、衛星無線、全地球測位システム、マルチメディアデバイス、ビデオデバイス、デジタルオーディオプレーヤ(たとえば、MP3プレーヤ)、カメラ、ゲーム機、タブレット、スマートデバイス、ウェアラブルデバイス、車両、電気メーター、ガスポンプ、トースター、または任意の他の同様の機能デバイスがある。UE104の一部は、IoTデバイス(たとえば、パーキングメーター、ガスポンプ、トースター、車両など)と呼ばれることがある。UE104は、局、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または他の何らかの適切な用語で呼ばれることもある。
【００２５】
図1を再び参照すると、いくつかの態様では、基地局180は、PBCHペイロードを構築するように構成されるPBCH構成要素198を含むように構成されてもよく、ビット位置は、対応するビット位置の推定される信頼性に基づいてPBCHの複数のビットを符号化するために選択され、複数のビットは、凍結ビットと、ユーザ機器に知られていない、知られていないビットと、ユーザ機器によって知られている可能性のある、知られている可能性のあるビットとを備える。他の態様では、UE104は、連続する復号順序に基づいて、凍結ビットと、知られていないビットと、知られている可能性のあるビットとを備えるPBCHを復号するように構成される、PBCH復号構成要素199を含むように構成されてもよい。
【００２６】
図2Aは、DLフレーム構造の例を示す図200である。図2Bは、DLフレーム構造内のチャネルの例を示す図230である。図2Cは、ULフレーム構造の例を示す図250である。図2Dは、ULフレーム構造内のチャネルの例を示す図280である。他のワイヤレス通信技術は、異なるフレーム構造および/または異なるチャネルを有することがある。フレーム(10ms)は、10個の等しいサイズのサブフレームに分割されることがある。各サブフレームは、2つの連続するタイムスロットを含むことがある。2つのタイムスロットを表すためにリソースグリッドが使用されることがあり、各タイムスロットは、1つまたは複数の(物理RB(PRB)とも呼ばれる)同時のリソースブロック(RB)を含む。リソースグリッドは複数のリソース要素(RE)に分割される。ノーマルサイクリックプレフィックスの場合、RBは、合計で84個のREについて、周波数領域に12個の連続するサブキャリアを含むことがあり、時間領域に7つの連続するシンボル(DLの場合はOFDMシンボル、ULの場合はSC-FDMAシンボル)を含むことがある。拡張サイクリックプレフィックスの場合、RBは、合計で72個のREについて、周波数領域に12個の連続するサブキャリアを含むことがあり、時間領域に6個の連続するシンボルを含むことがある。各REによって搬送されるビット数は、変調方式に依存する。
【００２７】
図2Aに示されるように、REのうちのいくつかは、UEにおけるチャネル推定のためのDL基準(パイロット)信号(DL-RS)を搬送する。DL-RSは、(共通RSと呼ばれることもある)セル固有基準信号(CRS)と、UE固有基準信号(UE-RS)と、チャネル状態情報基準信号(CSI-RS)とを含むことがある。図2Aは、(それぞれ、R0、R1、R2、およびR3として示された)アンテナポート0、1、2、および3のためのCRSと、(R5として示された)アンテナポート5のためのUE-RSと、(Rとして示された)アンテナポート15のためのCSI-RSとを示す。
【００２８】
図2Bは、フレームのDLサブフレーム内の様々なチャネルの例を示す。物理制御フォーマットインジケータチャネル(PCFICH)はスロット0のシンボル0内にあり、物理ダウンリンク制御チャネル(PDCCH)が1つのシンボルを占有するか、2つのシンボルを占有するか、または3つのシンボルを占有するかを示す制御フォーマットインジケータ(CFI)を搬送する(図2Bは、3つのシンボルを占有するPDCCHを示す)。PDCCHは、1つまたは複数の制御チャネル要素(CCE)内でダウンリンク制御情報(DCI)を搬送し、各CCEは9つのREグループ(REG)を含み、各REGはOFDMシンボルに4つの連続するREを含む。UEは、DCIも搬送するUE固有の拡張PDCCH(ePDCCH)で構成されることがある。ePDCCHは、2つ、4つ、または8つのRBペアを有することがある(図2Bは2つのRBペアを示し、各サブセットは1つのRBペアを含む)。物理ハイブリッド自動再送要求(ARQ)(HARQ)インジケータチャネル(PHICH)もスロット0のシンボル0内にあり、物理アップリンク共有チャネル(PUSCH)に基づいてHARQ肯定応答(ACK)/否定応答(NACK)フィードバックを示すHARQインジケータ(HI)を搬送する。1次同期チャネル(PSCH)は、フレームのサブフレーム0および5内のスロット0のシンボル6内にあることがある。PSCHは、サブフレーム/シンボルタイミングおよび物理レイヤ識別情報を決定するためにUE104によって使用される、1次同期信号(PSS)を搬送する。2次同期チャネル(SSCH)は、フレームのサブフレーム0および5内のスロット0のシンボル5内にあることがある。SSCHは、物理レイヤセル識別情報グループ番号および無線フレームタイミングを決定するためにUEによって使用される、2次同期信号(SSS)を搬送する。物理レイヤ識別情報および物理レイヤセル識別情報グループ番号に基づいて、UEは物理セル識別子(PCI)を決定することができる。PCIに基づいて、UEは上述のDL-RSの位置を決定することができる。マスター情報ブロック(MIB)を搬送する物理ブロードキャストチャネル(PBCH)は、PSCHおよびSSCHと論理的にグループ化されて、同期信号(SS)ブロックを形成してもよい。MIBは、DLシステム帯域幅の中のRBの数と、PHICH構成と、システムフレーム番号(SFN)とを提供する。物理ダウンリンク共有チャネル(PDSCH)は、ユーザデータと、システム情報ブロック(SIB)などのPBCHを通して送信されないブロードキャストシステム情報と、ページングメッセージとを搬送する。
【００２９】
図2Cに示されるように、REのうちのいくつかは、基地局におけるチャネル推定のための復調基準信号(DM-RS)を搬送する。UEは、サブフレームの最終シンボルにおいてサウンディング基準信号(SRS)をさらに送信することがある。SRSはコム構造を有することがあり、UEはコムのうちの1つの上でSRSを送信することがある。SRSは、基地局によって、UL上での周波数依存スケジューリングを可能にするために、チャネル品質推定のために使用されることがある。
【００３０】
図2Dは、フレームのULサブフレーム内の様々なチャネルの例を示す。物理ランダムアクセスチャネル(PRACH)は、PRACH構成に基づいてフレーム内の1つまたは複数のサブフレーム内にあってもよい。PRACHは、サブフレーム内に6つの連続するRBペアを含むことがある。PRACHにより、UEが初期システムアクセスを実行し、UL同期を実現することが可能になる。物理アップリンク制御チャネル(PUCCH)は、ULシステム帯域幅の端に位置することがある。PUCCHは、スケジューリング要求、チャネル品質インジケータ(CQI)、プリコーディング行列インジケータ(PMI)、ランクインジケータ(RI)、およびHARQ ACK/NACKフィードバックなどのアップリンク制御情報(UCI)を搬送する。PUSCHは、データを搬送し、バッファステータス報告(BSR)、パワーヘッドルーム報告(PHR)、および/またはUCIを搬送するためにさらに使用されることがある。
【００３１】
図3は、アクセスネットワークにおいてUE350と通信している基地局310のブロック図である。DLでは、EPC160からのIPパケットがコントローラ/プロセッサ375に提供されることがある。コントローラ/プロセッサ375はレイヤ3およびレイヤ2の機能を実装する。レイヤ3は無線リソース制御(RRC)レイヤを含み、レイヤ2は、パケットデータコンバージェンスプロトコル(PDCP)レイヤと、無線リンク制御(RLC)レイヤと、媒体アクセス制御(MAC)レイヤとを含む。コントローラ/プロセッサ375は、システム情報(たとえば、MIB、SIB)のブロードキャスティング、RRC接続制御(たとえば、RRC接続ページング、RRC接続確立、RRC接続修正、およびRRC接続解放)、無線アクセス技術(RAT)間モビリティ、ならびにUE測定報告のための測定構成と関連付けられるRRCレイヤ機能と、ヘッダ圧縮/解凍、セキュリティ(暗号化、解読、完全性保護、完全性検証)、およびハンドオーバーサポート機能と関連付けられるPDCPレイヤ機能と、上位レイヤパケットデータユニット(PDU)の転送、ARQを介した誤り訂正、RLCサービスデータユニット(SDU)の連結、セグメンテーション、およびリアセンブリ、RLCデータPDUの再セグメンテーション、ならびにRLCデータPDUの並べ替えと関連付けられるRLCレイヤ機能と、論理チャネルとトランスポートチャネルとの間のマッピング、トランスポートブロック(TB)上へのMAC SDUの多重化、TBからのMAC SDUの逆多重化、スケジューリング情報報告、HARQを介した誤り訂正、優先度処理、および論理チャネル優先順位付けと関連付けられるMACレイヤ機能とを提供する。
【００３２】
送信(TX)プロセッサ316および受信(RX)プロセッサ370は、様々な信号処理機能と関連付けられるレイヤ1機能を実装する。物理(PHY)レイヤを含むレイヤ1は、トランスポートチャネル上の誤り検出と、トランスポートチャネルの前方誤り訂正(FEC)コーディング/復号と、インターリービングと、レートマッチングと、物理チャネル上へのマッピングと、物理チャネルの変調/復調と、MIMOアンテナ処理とを含むことがある。TXプロセッサ316は、様々な変調方式(たとえば、2位相シフトキーイング(BPSK)、4位相シフトキーイング(QPSK)、M位相シフトキーイング(M-PSK)、M直交振幅変調(M-QAM))に基づく信号コンスタレーションへのマッピングを扱う。コーディングされ変調されたシンボルは、次いで、並列ストリームに分割されることがある。各ストリームは、次いで、時間領域OFDMシンボルストリームを搬送する物理チャネルを生成するために、OFDMサブキャリアにマッピングされ、時間領域および/または周波数領域において基準信号(たとえば、パイロット)と多重化され、次いで、逆高速フーリエ変換(IFFT)を使用して一緒に合成されることがある。OFDMストリームは、複数の空間ストリームを生成するために空間的にプリコーディングされる。チャネル推定器374からのチャネル推定値は、コーディングおよび変調方式を決定するために、ならびに空間処理のために使用されることがある。チャネル推定値は、UE350によって送信された基準信号および/またはチャネル状態フィードバックから導出されることがある。各空間ストリームは、次いで、別個のトランスミッタ318TXを介して異なるアンテナ320に提供されることがある。各トランスミッタ318TXは、送信のためにそれぞれの空間ストリームでRFキャリアを変調することがある。
【００３３】
UE350において、各レシーバ354RXは、レシーバのそれぞれのアンテナ352を通じて信号を受信する。各レシーバ354RXは、RFキャリア上に変調された情報を復元し、その情報を受信(RX)プロセッサ356に提供する。TXプロセッサ368およびRXプロセッサ356は、様々な信号処理機能と関連付けられるレイヤ1機能を実装する。RXプロセッサ356は、UE350に宛てられたあらゆる空間ストリームを復元するために、情報に対して空間処理を実行してもよい。複数の空間ストリームがUE350に宛てられる場合、複数の空間ストリームは、RXプロセッサ356によって単一のOFDMシンボルストリームへと合成されることがある。次いで、RXプロセッサ356は、高速フーリエ変換(FFT)を使用して、OFDMAシンボルストリームを時間領域から周波数領域に変換する。周波数領域信号は、OFDM信号の各サブキャリアに対して別々のOFDMシンボルストリームを備える。各サブキャリア上のシンボルおよび基準信号は、基地局310によって送信される、可能性が最も高い信号のコンスタレーションポイントを判定することによって復元および復調される。これらの軟判定は、チャネル推定器358によって算出されたチャネル推定値に基づくことがある。軟判定は、次いで、物理チャネル上で基地局310によって最初に送信されたデータおよび制御信号を復元するために復号およびデインターリーブされる。データおよび制御信号は、次いで、レイヤ3およびレイヤ2の機能を実装するコントローラ/プロセッサ359に提供される。
【００３４】
コントローラ/プロセッサ359は、プログラムコードとデータとを記憶するメモリ360に関連付けられ得る。メモリ360は、コンピュータ可読媒体と呼ばれることがある。ULでは、コントローラ/プロセッサ359は、EPC160からのIPパケットを復元するために、トランスポートチャネルと論理チャネルとの間の逆多重化と、パケットリアセンブリと、解読と、ヘッダ解凍と、制御信号処理とを行う。コントローラ/プロセッサ359はまた、ACKおよび/またはNACKプロトコルを使用してHARQ動作をサポートする誤り検出を担う。
【００３５】
基地局310によるDL送信に関して説明された機能と同様に、コントローラ/プロセッサ359は、システム情報(たとえば、MIB、SIB)収集、RRC接続、および測定報告と関連付けられるRRCレイヤ機能と、ヘッダ圧縮/解凍およびセキュリティ(暗号化、解読、完全性保護、完全性検証)と関連付けられるPDCPレイヤ機能と、上位レイヤPDUの転送、ARQを通じた誤り訂正、RLC SDUの連結、セグメンテーション、およびリアセンブリ、RLCデータPDUの再セグメンテーション、ならびにRLCデータPDUの並べ替えと関連付けられるRLCレイヤ機能と、論理チャネルとトランスポートチャネルとの間のマッピング、TB上へのMAC SDUの多重化、TBからのMAC SDUの逆多重化、スケジューリング情報報告、HARQを通じた誤り訂正、優先度処理、および論理チャネル優先度付けと関連付けられるMACレイヤ機能とを提供する。
【００３６】
基地局310によって送信された基準信号またはフィードバックから、チャネル推定器358によって導出されたチャネル推定値は、適切なコーディングおよび変調方式を選択するために、ならびに空間処理を容易にするために、TXプロセッサ368によって使用されることがある。TXプロセッサ368によって生成された空間ストリームは、別個のトランスミッタ354TXを介して異なるアンテナ352に提供されることがある。各トランスミッタ354TXは、送信のためにそれぞれの空間ストリームでRFキャリアを変調することがある。
【００３７】
UL送信は、UE350におけるレシーバ機能に関して説明された方式と同様の方式で、基地局310において処理される。各レシーバ318RXは、レシーバのそれぞれのアンテナ320を通じて信号を受信する。各レシーバ318RXは、RFキャリア上に変調された情報を復元し、その情報をRXプロセッサ370に提供する。
【００３８】
コントローラ/プロセッサ375は、プログラムコードとデータとを記憶するメモリ376と関連付けられ得る。メモリ376は、コンピュータ可読媒体と呼ばれることがある。ULでは、コントローラ/プロセッサ375は、UE350からのIPパケットを復元するために、トランスポートチャネルと論理チャネルとの間の逆多重化と、パケットリアセンブリと、解読と、ヘッダ解凍と、制御信号処理とを行う。コントローラ/プロセッサ375からのIPパケットは、EPC160に提供されることがある。コントローラ/プロセッサ375はまた、ACKおよび/またはNACKプロトコルを使用してHARQ動作をサポートする誤り検出を担う。
【００３９】
図4は、UE404と通信している基地局402を示す図400である。図4を参照すると、基地局402は、方向402a、402b、402c、402d、402e、402f、402g、402hのうちの1つまたは複数において、ビームフォーミングされた信号をUE404に送信することがある。UE404は、1つまたは複数の受信方向404a、404b、404c、404dにおいて基地局402からビームフォーミングされた信号を受信することがある。UE404はまた、方向404a〜404dのうちの1つまたは複数において基地局402にビームフォーミングされた信号を送信することがある。基地局402は、受信方向402a〜402hのうちの1つまたは複数においてUE404からビームフォーミングされた信号を受信することがある。基地局402/UE404は、基地局402/UE404の各々に対する最良の受信方向および送信方向を決定するためにビーム訓練を実行することがある。基地局402に対する送信方向および受信方向は、同じであることも同じではないこともある。UE404に対する送信方向および受信方向は、同じであることも同じではないこともある。
【００４０】
同期信号(SS)は、たとえば所定の固定された位置において送信されるのではなく、複数のSSブロックにおいてビーム掃引されてもよい。ブロードキャストチャネル(BCH)送信時間間隔(TTI)は、その間はタイミング以外のシステム情報(SI)が物理ブロードキャストチャネル(PBCH)において変化しないままである、時間枠を備えてもよい。したがって、BCH TTI内で、タイミング情報以外のPBCHペイロードは、あらゆる送信されるPBCHに対して同じである。残りのタイミング情報は、SSブロック内に、たとえばSSブロックインデックスの中に備えられてもよい。
【００４１】
たとえば、NR通信は80msのBCH TTIを含むことがある。BCH TTI内で、複数のSSバーストセット、たとえばL個のSSブロックのビーム掃引が送信されてもよい。初期のセル選択バーストセットは、たとえば20msの周期で反復してもよい。しかしながら、接続された/アイドル状態のUE、およびスタンドアロンではない展開などに対しては、他の周期が可能であることがある。
【００４２】
図5は、基地局によるPBCH送信のためのバースト、バーストセット、およびBCH TTIの例示的な構成500を示す。図5において、バースト当たりある数(L個)のSSブロックが示されており、バーストセット当たりある数(N個)のバーストが示されており、BCH TTI当たりある数(m個)のバーストセットが示されている。バーストセットは、たとえば、1つの完全なビーム掃引を備えるSSブロックのセットであってもよい。したがって、バーストセットの周期は、UEが同じgNBビーム上でSSブロックを受信する周期であってもよい。SSブロックは、連続的ではないことがあり、たとえば、ダウンリンク(DL)制御およびデータとアップリンク(UL)制御およびデータの散在を許容することがある。たとえば、バーストセットは複数のバーストを備えてもよく、ここでバーストはgNBに対して利用可能な連続的なSSブロック送信リソースのセットを備える。
【００４３】
同期信号のための残りのタイミング情報の少なくとも一部は、明白にPBCHペイロードの中にあってもよい。たとえば、PBCHペイロードは、SSブロックインデックスおよび/またはSSバーストセットインデックスを含んでもよい。UEは、PBCH復号性能を改善するために、復号のためのPBCH送信を合成してもよい。時々、PBCH送信は異なるSSブロックインデックスを搬送する可能性がある。UEは、任意の2つのPBCH反復のペイロード間のビット差分について仮定を行うことによって、異なるSSブロックからのPBCHを合成するために、SSブロックインデックスを使用してもよく、ビット差分は2つのPBCHに対する異なるSSブロックとバーストセットインデックスにより生じる。
【００４４】
Gが高さ生成行列を表し、bおよびδが(列)ベクトルを表す場合の、符号G(b+δ)=Gb+Gδの線形性に基づいて、GF(2)の中ですべて、2つのSSブロックのそれぞれのペイロード間のビット差分δを仮定したことに基づいて、2つのSSブロックにわたってPBCHが合成されてもよい。
【００４５】
l∈L≡{0,…,lmax-1}を、SSブロックインデックスを表すものとし、lmaxはSSブロックの総数であり、LはSSブロックインデックスのセットを表す。一例では、lmaxは64に等しくてもよい。これは一例にすぎず、本明細書で提示される態様はSSブロックの異なる総数に適合する。
【００４６】
関数c(l)=Gb(l)は、SSブロックインデックスlにおいて送信されるPBCHに含まれる符号語を表してもよく、ここでb(l)はSSブロックインデックスlにおいて送信されるPBCHペイロードであり、l(たとえば、6個の最下位ビット(LSB))を含み、G=Gpolar GCRCはポーラ符号生成行列が後に続くシステマティックCRC生成行列である。このGpolarは、任意の線形符号の生成行列で置き換えることができ、それでも本明細書で提示される態様は適合する。同様に、このGCRCは、任意の線形誤り検出符号の生成行列で置き換えることができ、それでも本明細書で提示される態様は適合する。
【００４７】
SSブロックインデックスl1、インデックスl2においてそれぞれ送信されるPBCH間のビット差分は、δ({l1,l2})=b(l1)+b(l2)によって表されてもよく、ここでB≡{δ({l1,l2}): {l1,l2}⊂L}である。注釈として、
【数１】
2020524927.tif 000003
個の仮定{l1,l2}があっても、|B|=lmax(たとえば、この例では64)である。
【００４８】
UEがΔtの時間距離だけ離れている2つのSSブロックを検出するとき、UEはこれらの2つのブロックの中のPBCHを合成することができる。時間距離ΔtはSSブロックを単位とするものであってもよい。たとえば、
c(l+Δt)=Gb(l+Δt)=G・[b(l)+δ({l,l+Δt})]
=Gb(l)+Gδ({l,l+Δt})
=c(l)+Gδ({l,l+Δt})
⇒c(l)=c(l+Δt)+Gδ({l,l+Δt})
【００４９】
したがって、SSブロックlおよびl+Δtの中のPBCHにおいて送信される符号語は関連しており、時間離隔Δtが知られているとき、UEは一方の符号語を他方から導出してもよい。言い換えると、一方の符号語を、他方の符号語のスクランブルされたバージョンとして見ることができ、スクランブリングはGδ({l,l+Δt})によって与えられる。この例では、UEはすでにΔt(すなわち、UEが2つのSSブロックを検出した時間がどれだけ離れているか)を知っている。したがって、UEは、2つの反復に対して計算されるLLRなどの復号尺度を合成し、したがって復号性能を改善することができる。一方のPBCH符号語を他方から導出するために、(l+Δt)∈Lであるようなすべての仮定l∈Lに対して、UEは以下を計算してもよい。
(1)bδ({l,l+Δt})を計算する
(2)G・δ({l,l+Δt})を計算する
【００５０】
一例では、これはオフラインで計算および記憶することができ、それは、ビット差分ベクトルδ({l,l+Δt})に対する可能な値が小さい(たとえば、lmax)ことがあるからである。
【００５１】
2つの計算を実行した後で、UEはG・δ({l,l+Δt})を使用してLLR(1+Δt)の符号を訂正することによって、対数尤度比(LLR)を加算してもよい。
【００５２】
次いで、UEはPBCHを復号してCRCを検査してもよい。UEは、復号された情報からPBCHに対するSSブロックインデックスを決定してもよい。
【００５３】
仮定のセットは、(l+Δt)∈Lであるようなすべての仮定l∈Lを備えてもよい。仮定のセットは、通信システムのSSブロックパターン構成(たとえば、SSバーストおよび/またはバーストセットの設計)に依存する。L≡{0,…,l_max-1}はSSブロックインデックスのセットを表し、lmaxはバーストセットの中のSSブロックの総数である。UEが時間Δt離れている2つのSSブロックを検出するとき、仮定のセット、たとえば(l+Δt)∈Lであるようなすべての仮定l∈Lは、システムにおいて使用されるバーストセットパターン(すなわち、SSブロックの相対的な送信時間)に依存する。図6Aは、例示的なSSブロック構造600を示し、UEがΔt=4SSブロック時間長だけ離れている2つのSSブロックを検出する場合にUEがPBCHを合成するために評価することがある、仮定(l,l+Δt)を示す。図6Aでは、lはSSブロックインデックス1、2、3、4、5、または6であってもよいが、SSブロックインデックス7、8、9、および10は、Δt=4SSブロック時間長だけ離隔されているSSブロックを許容しない。
【００５４】
同様のSSブロックパターン構造602に対して、図6Bは、UEがΔt=5ms+(3SSブロック時間長)だけ離れている2つのSSブロックを検出する場合にUEがPBCHを合成するために評価することがある、仮定を示す。
【００５５】
したがって、タイミング情報は、PBCHペイロードにおいて、たとえば、バーストセット内またはBCH TTI内のSSブロックインデックスにおいて搬送されてもよい。タイミング情報が原因で異なる可能性のあるペイロードを搬送する、異なるSSブロックからのPBCHが、検出の改善のために合成され得る。UEは、各PBCHにおいて搬送されるSSブロックインデックスに基づいて仮定してもよく、ここで、この仮定は2つのSSブロックの受信の間の時間ギャップと釣り合っている。各仮定について、UEは、仮定に対するペイロード間のビット差分ベクトルを計算し、ビット差分ベクトルに対応する符号語を計算してもよい。最後に、UEは、この符号語を使用して、2つのPBCHから検出尺度を正しく合成し(たとえば、正しい符号を伴うLLRを加算し)、合成された検出尺度を使用してPBCHを復号してもよい。
【００５６】
PBCHペイロードは、凍結ビットなどの、UEにすでに知られている符号化されたビットを含むことがある。PBCHペイロードは、UEに知られている可能性のある符号化されたビットを含むことがあり、UEは、知られていない情報の残りのセットのためだけにPBCHを復号する必要があることがある。
【００５７】
知られていない情報は、たとえば、SSブロックインデックス、SSバーストセットインデックス、システムフレーム番号(SFN)、および/または誤り検出ビットなどの、タイミング情報を含んでもよい。たとえば、タイミング情報はCRCビットを含んでもよい。
【００５８】
したがって、PBCHペイロードまたは符号化されたPBCHビットの一部はすでにUEに知られていることがあり、UEは残りの知られていない情報のためだけにPBCHを復号する必要があることがある。
【００５９】
たとえば、UEは場合によっては、知られていないタイミング情報を除き、近隣セルPBCHのためのシステム情報の大半、たとえばMIBを知っていることがある。この知られている可能性のある情報は、UEに提供されたのでUEに知られていることがあり、たとえば、サービングセルが近隣セルに関するそのような情報をUEに提供することがある。PBCHは、UEによっても知られている凍結ビットを備えることがある。UEは、ペイロードの知られている可能性のあるビット、ならびに凍結ビットの少なくとも一部を使用して、部分的に知られているPBCHを復号してもよい。
【００６０】
一例では、ポーラ符号化されたPBCHに対して、知られている可能性のあるペイロードは、UEにおける復号プロセスにおいて凍結ビットとして扱われてもよい。
【００６１】
N×Nの所与のポーラ符号生成行列GNに対して、Q=(q1,q2,…,qN)がポーラエンコーダへの入力ビットに対するインデックスを提供するビット位置ベクトルである場合、q1、q2、…、qNは推定される信頼性に基づいてソートされてもよい。たとえば、入力ビットは、q1が最も信頼性が高く、以下同様にqNが最も信頼性が低くなるように、ソートされてもよい。いくつかの場合、信頼性は推定に基づいてもよい。
【００６２】
たとえば、2ビット(列)ベクトルxに対する単純な生成行列
【数２】
2020524927.tif 000004
生成符号語y=G2xに対して、Q=(2,1)である。
【００６３】
よって、所与のGNに対して、ビット位置ベクトルQがある。そうすると、エンコーダの入力において、最も信頼性のあるビット位置にK<N個の情報ビットが配置され、凍結ビット(これは知られているビットである)は残りのN-K個のビット位置である。このように取得されたビットベクトルは、N×1のベクトルxである。エンコーダは次いで、Nビットの符号語y=G_Nxを生み出す。時には、送信される符号語は、送信すべきN個未満のビットを取得するためにパンクチャリングされてもよい。この場合、ビット位置ベクトルQは、実際に送信されるビットに基づくビット信頼性を反映するように適切に更新されてもよい。
【００６４】
凍結ビットは、最も信頼性の低いビット位置に置かれてもよい。知られている可能性のあるビットの少なくとも一部は、知られていないビットのビット位置より信頼性の低いビット位置に置かれてもよい。したがって、知られている可能性のあるビットは、基地局による送信のためにPBCHを構築する際に、知られていないビットが置かれているビット位置の信頼性よりも信頼性の低いビット位置に置かれてもよい。
【００６５】
知られている可能性のあるビットの位置が与えられると、UEは、情報ビットの連続する復号に基づいてPBCHを復号してもよい。凍結ビットはすでに、UEによって知られており、復号される必要がないことがある。UEは、知られている可能性のあるビットを最初に復号してもよく、次いで、知られていないビットの少なくとも一部を続いて復号してもよい。
【００６６】
これは、UEが近隣セルのためのPBCHをより効率的に復号することを可能にすることがある。たとえば、UEは、PBCHに備えられるSSブロックインデックスなどのタイミング情報を取得するために、4ショットのPBCH復号を必要とすることがある。UEが近隣セルPBCHのための残りのビット、たとえばSSブロックインデックス以外のビットの少なくとも一部を知っている場合、UEはそれらを凍結ビットとして扱ってもよい。これは、UEが、減らされた復号処理を用いて、たとえば単一ショットのPBCH復号を用いて、SSブロックインデックスを取得することを可能にすることがある。
【００６７】
図7は、本明細書で提示される態様による、UE704(たとえば、UE104、350、404、950、装置1202、1202')と、第1の基地局702(たとえば、基地局180、350)と、第2の基地局706(たとえば、基地局180、350、402、1250、装置902、902')との間の通信フロー700を示す。第1の基地局702はサービング基地局であってもよく、第2の基地局は近隣基地局であってもよい。第2の基地局706は複数のSSブロックにおいてPBCHを送信してもよい。各SSブロックは、SSブロックインデックスなどの、PBCHペイロードに含まれるタイミング情報を備えてもよい。たとえば、図7は、基地局706が、第1のSSブロック712において第1のタイミング情報を備える第1のPBCHペイロードを送信することと、第2のSSブロック714において第2のタイミング情報を備える第2のPBCHペイロードを送信することとを示す。
【００６８】
図14は、SSブロックにおいて搬送されるべき全体のタイミング情報1400の例を示す。図14は、異なる分解能でタイミングを示すタイミングビットの様々な部分を示す。これらのタイミングビットの少なくとも一部は、符号化されるべき、たとえばポーラ符号化されるべきPBCHペイロードシーケンスに含まれてもよい。
【００６９】
708において、基地局706は、対応するビット位置に対する推定される信頼性に基づいて選択されるPBCH情報のビット位置を伴うPBCHを構築してもよい。いくつかのPBCHフィールドはいくつかのシナリオでは既知のビット値を有することがあるので、PBCHデコーダ性能を改善するために、PBCHフィールドは、たとえばより信頼性の高いまたはより信頼性の低いビット位置に置かれてもよい。たとえば、凍結ビットが最も信頼性の低いビット位置に置かれてもよく、知られている可能性のあるビットの少なくとも一部が、知られていないビットより信頼性の低いビット位置に置かれてもよい。図5、図6、および図8に関連して説明されるように、PBCHフィールドは、SSブロック時間インデックス、予約された情報ビットおよびシステム情報ビット、SFNビットなどを含んでもよい。
【００７０】
UE704は、720において、連続する復号順序に基づいて基地局706から受信されたPBCHペイロードを復号してもよい。凍結ビットはすでに知られていることがあり、復号を必要としないことがある。UEは、知られている可能性のあるビットを最初に復号し、続いて知られていないビットを復号してもよい。
【００７１】
図7に示されるように、知られている可能性のあるビットは、第1の基地局702からUE704に提供される第2の基地局PBCHに関する情報に対応することがある。
【００７２】
第1の例では、第1のセルは、第2のセルに対するセル品質測定結果をUEが報告する前に、710において第2のセルPBCHビットに関する情報をUE704に提供してもよい。たとえば、UE704は、第2の基地局706からPBCHを受信する前に、第1の基地局702から第2の基地局PBCHに関する情報を受信してもよい。UE704は次いで、第2の基地局のSSブロックを検出してもよく、720において、第1の基地局702から受信された情報710を使用して、連続する復号順序を使用して第2の基地局PBCHを復号してもよい。これは、PBCHの復号レイテンシを減らすことがある。
【００７３】
この第1の例では、サービングセルは、各々のサービスされるUEが近隣セルの品質を報告する際に使用するための、複数の周囲の近隣セルのPBCHビットに関する情報を提供してもよい。たとえば、サービングセルは、複数の近隣セル識別子(ID)に対応する情報を提供してもよい。しかしながら、これは、サービングセルが大量の情報をUEに提供することを必要とすることがある。
【００７４】
第2の例では、UE704は、第1の基地局702から情報を受信する前に、第2の基地局706からのSSブロックを検出することがある。UEは、第2の基地局706のセルIDを検出してもよい。セルIDを検出すると、UEは、716において、セルIDを第1の基地局702に報告してもよい。UEからセルIDを受信したことに応答して、第1の基地局702は、718において、第2の基地局706のためのPBCHビット情報をUEに提供してもよい。UEは次いで、720において、連続する復号順序を使用して第2の基地局PBCHを復号するために、第1のセル702からの情報を使用してもよい。
【００７５】
この第2の例では、サービングセルは、UEが対応するセルIDを報告したことに応答して、特定の近隣セルのためのPBCHビットに関する情報を提供してもよい。これは第1の例より大きいレイテンシを伴うことがあるが、第2の例はサービング基地局に対するRRCシグナリングオーバーヘッドを減らす。
【００７６】
したがって、第1の基地局は、第2の基地局の参照時間を導出する際にUEを助けるための情報を提供してもよく、たとえば、サービングセルは、ターゲットセルの参照時間を導出する際にUEを助けてもよい。
【００７７】
図8は、ワイヤレス通信の方法のフローチャート800である。方法は、UE(たとえば、UE104、350、404、704、950、装置1202、1202')と通信している基地局(たとえば、基地局102、180、310、402、706、1250、装置902、902')によって実行されてもよい。802において、基地局はPBCHペイロードを構築し、ビット位置は、ビット位置の推定される信頼性に基づいてPBCHの複数のビットを符号化するために選択され、複数のビットは、たとえば図7の708に関連して説明されるように、凍結ビットと、ユーザ機器に知られていない、知られていないビットと、ユーザ機器によって知られている可能性のある、知られている可能性のあるビットとを備える。PBCHペイロードはポーラ符号化されたPBCHを備えてもよい。知られている可能性のあるビットの少なくとも一部は、PBCHペイロードを符号化する際に、知られていないビットより信頼性の低いビット位置を与えられてもよい。凍結ビットは、PBCHペイロードを符号化する際に、知られている可能性のあるビットより信頼性の低いビット位置を与えられてもよい。したがって、基地局は、PBCHデコーダ性能の潜在的な改善を可能にするように、PBCHシーケンスを生成してもよく、特定の順序でPBCHシーケンスをポーラ符号化してもよい。
【００７８】
804において、基地局は、複数のSSブロックのうちの少なくとも1つにおいてPBCHペイロードを送信する。一例では、各SSブロックは対応するタイミング情報を備える。たとえば、図5および図6に関して説明されるように、各SSブロックはSSブロックインデックスを備えてもよい。したがって、タイミング情報は、SSブロックインデックス、SSバーストセットインデックス、およびシステムフレーム番号(SFN)のうちの少なくとも1つを備えてもよい。
【００７９】
一例では、知られていないビットは、タイミング情報、たとえばSSブロックインデックス、SSバーストセットインデックス、およびSFNのうちの少なくとも1つを備えてもよい。他の例では、知られていないビットは他の情報を備えてもよい。知られていないビットは、誤り検出ビット、たとえばCRCビットまたは他の情報を含んでもよい。たとえば、ネットワーク同期により、UEがサービングセルから受信するタイミング情報は、近隣セルに適用可能であることがある。したがって、この例では、タイミング情報以外の情報は知られていないビットに備えられてもよい。
【００８０】
知られている可能性のあるビットは、異なるセルによってユーザ機器に提供されるシステム情報を備えてもよい。たとえば、そのような知られている可能性のある情報は、他のチャネルに対するサブキャリア間隔、共通制御リソースセット(CORESET)の構成、残りのシステム情報の送信の構成、システム帯域幅、システム帯域幅内の同期信号の位置、および/または予約されたビットなどの、ヌメロロジーのいずれを含んでもよい。知られている可能性のある情報は、SFNの一部、たとえば全体で10ビットのSFNのうちの8個のMSBを含んでもよい。したがって、第1のセルは第2のセルの厳密なタイミングを提供することが可能ではないことがあるが、第1のセルは、あるレベルの精度で、たとえば最高で20msの精度で、近隣セルの時間を提供することが可能であることがある。
【００８１】
図9は、例示的な装置902における異なる手段/構成要素間のデータフローを示す概念データフロー図900である。装置は、UE950(たとえば、UE104、350、404、704、装置1202、1202')と通信する基地局(たとえば、基地局180、310、402、706、1250)であってもよい。装置は、アップリンク通信を受信する受信構成要素904と、PBCHを含むDL通信をUEへ送信する送信構成要素906とを含む。装置はPBCHペイロードを構築するように構成されるPBCH構築構成要素908を含んでもよく、ビット位置は、ビット位置の推定される信頼性に基づいてPBCHの複数のビットを符号化するために選択され、複数のビットは、凍結ビットと、ユーザ機器に知られていない、知られていないビットと、ユーザ機器によって知られている可能性のある、知られている可能性のあるビットとを備える。たとえば、PBCH構築構成要素は、PBCHを符号化するとき、知られている可能性のあるビットの少なくとも一部に、知られていないビットより信頼性の低いビット位置を与えてもよく、凍結ビットに、知られている可能性のあるビットより信頼性の低いビット位置を与えてもよい。装置は、たとえば送信構成要素906を介して、複数のSSブロックのうちの少なくとも1つにおいて、PBCHペイロードを送信するように構成されるSSブロック構成要素910を含んでもよい。
【００８２】
装置は、図7および図8の上述のフローチャートにおけるアルゴリズムのブロックの各々を実行する追加の構成要素を含んでもよい。したがって、上述の図7および図8のフローチャートにおける各ブロックは構成要素によって実行されてもよく、装置はそれらの構成要素のうちの1つまたは複数を含んでもよい。構成要素は、述べられたプロセス/アルゴリズムを遂行するように具体的に構成された1つもしくは複数のハードウェア構成要素であるか、述べられたプロセス/アルゴリズムを実行するように構成されたプロセッサによって実装されるか、プロセッサによる実装のためにコンピュータ可読媒体内に記憶されるか、またはそれらの何らかの組合せであってもよい。
【００８３】
図10は、処理システム1014を利用する装置902'のハードウェア実装形態の例を示す図1000である。処理システム1014は、バス1024によって全般に表されるバスアーキテクチャで実装されてもよい。バス1024は、処理システム1014の具体的な適用例および全体的な設計制約に応じて、任意の数の相互接続するバスおよびブリッジを含んでもよい。バス1024は、プロセッサ1004によって表される1つまたは複数のプロセッサおよび/またはハードウェア構成要素と、構成要素904、906、908、910と、コンピュータ可読媒体/メモリ1006とを含む様々な回路を互いにつなぐ。バス1024はまた、タイミングソース、周辺装置、電圧調整器、および電力管理回路などの、様々な他の回路をつなぐことがあるが、これらの回路は当技術分野においてよく知られており、したがって、これらの回路はこれ以上説明されない。
【００８４】
処理システム1014は、トランシーバ1010に結合されてもよい。トランシーバ1010は、1つまたは複数のアンテナ1020に結合される。トランシーバ1010は、送信媒体を介して様々な他の装置と通信するための手段を提供する。トランシーバ1010は、1つまたは複数のアンテナ1020から信号を受信し、受信された信号から情報を抽出し、抽出された情報を処理システム1014、特に受信構成要素904に与える。加えて、トランシーバ1010は、処理システム1014、特に送信構成要素906から情報を受信し、受信された情報に基づいて、1つまたは複数のアンテナ1020に印加されるべき信号を生成する。処理システム1014は、コンピュータ可読媒体/メモリ1006に結合されたプロセッサ1004を含む。プロセッサ1004は、コンピュータ可読媒体/メモリ1006に記憶されたソフトウェアの実行を含む、一般的な処理を担う。ソフトウェアは、プロセッサ1004によって実行されると、任意の特定の装置に対して、上で説明された様々な機能を処理システム1014に実行させる。コンピュータ可読媒体/メモリ1006はまた、ソフトウェアを実行するときにプロセッサ1004によって操作されるデータを記憶するために使用されてもよい。処理システム1014は、構成要素904、906、908、910のうちの少なくとも1つをさらに含む。それらの構成要素は、プロセッサ1004内で動作し、コンピュータ可読媒体/メモリ1006の中に存在する/記憶されたソフトウェア構成要素、プロセッサ1004に結合された1つまたは複数のハードウェア構成要素、またはそれらの何らかの組合せであってもよい。処理システム1014は、基地局310の構成要素であってもよく、メモリ376、ならびに/または、TXプロセッサ316、RXプロセッサ370、およびコントローラ/プロセッサ375のうちの少なくとも1つを含んでもよい。
【００８５】
一構成では、ワイヤレス通信のための装置902/902'は、PBCHペイロードを構築するための手段であって、ビット位置が、対応するビット位置の推定される信頼性に基づいてPBCHの複数のビットを符号化するために選択され、複数のビットが、凍結ビットと、ユーザ機器に知られていない、知られていないビットと、ユーザ機器によって知られている可能性のある、知られている可能性のあるビットとを備える、手段と、複数のSSブロックのうちの少なくとも1つにおいてPBCHペイロードを送信するための手段とを含み、各SSブロックは対応するタイミング情報を備える。上述の手段は、上述の手段によって列挙された機能を実行するように構成された装置902および/または装置902'の処理システム1014の上述のコンポーネントのうちの1つまたは複数であってもよい。上で説明されたように、処理システム1014は、TXプロセッサ316と、RXプロセッサ370と、コントローラ/プロセッサ375とを含んでもよい。したがって、一構成では、上述の手段は、上述の手段によって列挙された機能を実行するように構成されたTXプロセッサ316、RXプロセッサ370、およびコントローラ/プロセッサ375であってもよい。
【００８６】
図11は、ワイヤレス通信の方法のフローチャート1100である。方法は、第2のセルの基地局(たとえば、基地局102、180、310、402、706、1250、装置902、902')から通信を受信し第1のセルによってサービスされる、UE(たとえば、UE104、350、404、704、950、装置1202、1202')によって実行されてもよい。任意選択の態様が、破線を用いて示されている。1104において、UEは、複数のSSブロックのうちの少なくとも1つにおいて第2のセルのPBCHペイロードを受信し、各SSブロックは対応するタイミング情報を備え、PBCHペイロードは、凍結ビットと、ユーザ機器に知られていない、知られていないビットと、ユーザ機器によって知られている可能性のある、知られている可能性のあるビットとを備える。PBCHペイロードはポーラ符号化されたPBCHを備えてもよい。
【００８７】
1112において、UEは、連続する復号順序に基づいてPBCHを復号する。連続する復号順序は、対応するビットに対する推定される信頼性に基づいてもよい。知られている可能性のあるビットは、知られていないビットより前に復号されてもよい。知られている可能性のあるビットは、第1のセルによってユーザ機器に提供されるシステム情報を備えてもよい。知られていないビットは、タイミング情報、たとえばSSブロックインデックス、SSバーストセットインデックス、およびSFNのうちの少なくとも1つを備えてもよい。知られている可能性のあるビットは、誤り検出ビット、たとえばCRCビットを備えてもよい。
【００８８】
一例では、1102において示されるように、UEは、第1のセルから、セル品質を報告する前に第2のセルのセルIDに対応する複数の知られている可能性のあるビットを受信してもよい。次いで、1106において、UEは、受信されたSSブロックから第2のセルのセルIDを検出してもよい。PBCHは、第1のセルから取得されたビットを使用して、1112において連続する復号順序に基づいて復号されてもよい。
【００８９】
別の例では、UEは、1104において、PBCHを受信する前に知られている可能性のあるビットを受信しなくてもよい。この例では、UEは、1108において、第2のセルの検出されたセルIDを第1のセルに報告してもよい。次いで、1110において、UEは、セルIDを報告したことに応答して、第1のセルから、第2のセルのセルIDに対応する複数の知られている可能性のあるビットを受信してもよい。PBCHは、第1のセルから取得されたビットを使用して、1112において連続する復号順序に基づいて復号されてもよい。
【００９０】
図12は、例示的な装置1202における異なる手段/構成要素間のデータフローを示す概念データフロー図1200である。装置は、第1の基地局1251(たとえば、基地局180、310、402、702)と、および第2の基地局1250(たとえば、基地局180、310、402、706、装置902、902')と通信しているUE(たとえば、UE104、350、404、704、950)であってもよい。装置は、たとえば第1の基地局1251および第2の基地局1250を介して、第1のセルおよび第2のセルからダウンリンク通信を受信する受信構成要素1204を含む。装置は、基地局、たとえば1250、1251へのUL通信を送信する送信構成要素1206を含む。装置は、複数のSSブロックのうちの少なくとも1つにおいて第2のセルのPBCHペイロードを受信するように構成されるPBCH構成要素1208を含み、各SSブロックは対応するタイミング情報を備え、PBCHペイロードは、凍結ビットと、ユーザ機器に知られていない、知られていないビットと、ユーザ機器によって知られている可能性のある、知られている可能性のあるビットとを備える。
【００９１】
装置は、連続する復号順序に基づいてPBCHを復号するように構成される復号構成要素1210を含む。連続する復号順序は、対応するビットに対する推定される信頼性に基づいてもよい。
【００９２】
装置は、第1のセルから、第2のセルのセルIDに対応する複数の知られている可能性のあるビットを受信するように構成される、知られている可能性のあるビット構成要素1212を含んでもよい。装置は、第2のセル1250のセルIDを検出するように構成されるセルID構成要素1214を含んでもよい。知られている可能性のあるビットはセルIDを検出する前に受信されてもよく、セルIDは対応する第2のセルの知られている可能性のあるビットを特定するために使用されてもよい。別の例では、UEは、知られている可能性のあるビットを受信する前にセルIDを検出してもよい。装置はさらに、第2のセルのセルIDを第1のセルに報告するように構成される報告構成要素1216を含んでもよい。次いで、第2のセルの知られている可能性のあるビットは、報告されたセルIDに応答して受信されてもよい。
【００９３】
装置は、図7および図11の上述のフローチャートの中のアルゴリズムのブロックの各々を実行する追加の構成要素を含んでもよい。したがって、図7および図11の上述のフローチャートの中の各ブロックは、1つの構成要素によって実行されてもよく、装置は、それらの構成要素のうちの1つまたは複数を含んでもよい。構成要素は、述べられたプロセス/アルゴリズムを遂行するように具体的に構成された1つもしくは複数のハードウェア構成要素であるか、述べられたプロセス/アルゴリズムを実行するように構成されたプロセッサによって実装されるか、プロセッサによる実装のためにコンピュータ可読媒体内に記憶されるか、またはそれらの何らかの組合せであってもよい。
【００９４】
図13は、処理システム1314を利用する装置1202'のハードウェア実装形態の例を示す図1300である。処理システム1314は、バス1324によって全体的に表されるバスアーキテクチャを用いて実装されてもよい。バス1324は、処理システム1314の具体的な適用例および全体的な設計制約に応じて、任意の数の相互接続バスとブリッジとを含んでもよい。バス1324は、プロセッサ1304によって表される1つまたは複数のプロセッサおよび/またはハードウェア構成要素と、構成要素1204、1206、1208、1210、1212、1214、1216と、コンピュータ可読媒体/メモリ1306とを含む様々な回路を互いにつなぐ。バス1324はまた、タイミングソース、周辺装置、電圧調整器、および電力管理回路などの、様々な他の回路をつなぐことがあるが、これらの回路は当技術分野においてよく知られており、したがって、これらの回路はこれ以上説明されない。
【００９５】
処理システム1314は、トランシーバ1310に結合されてもよい。トランシーバ1310は、1つまたは複数のアンテナ1320に結合される。トランシーバ1310は、送信媒体を介して様々な他の装置と通信するための手段を提供する。トランシーバ1310は、1つまたは複数のアンテナ1320から信号を受信し、受信された信号から情報を抽出し、抽出された情報を処理システム1314、特に受信構成要素1204に与える。加えて、トランシーバ1310は、処理システム1314、特に送信構成要素1206から情報を受信し、受信された情報に基づいて、1つまたは複数のアンテナ1320に印加されるべき信号を生成する。処理システム1314は、コンピュータ可読媒体/メモリ1306に結合されたプロセッサ1304を含む。プロセッサ1304は、コンピュータ可読媒体/メモリ1306に記憶されたソフトウェアの実行を含む、一般的な処理を担う。ソフトウェアは、プロセッサ1304によって実行されると、任意の特定の装置に対して、上で説明された様々な機能を処理システム1314に実行させる。コンピュータ可読媒体/メモリ1306はまた、ソフトウェアを実行するときにプロセッサ1304によって操作されるデータを記憶するために使用されてもよい。処理システム1314は、構成要素1204、1206、1208、1210、1212、1214、1216のうちの少なくとも1つをさらに含む。それらの構成要素は、プロセッサ1304内で動作し、コンピュータ可読媒体/メモリ1306の中に存在する/記憶されたソフトウェア構成要素、プロセッサ1304に結合された1つまたは複数のハードウェア構成要素、またはそれらの何らかの組合せであってもよい。処理システム1314は、UE350の構成要素であることがあり、メモリ360、ならびに/またはTXプロセッサ368、RXプロセッサ356、およびコントローラ/プロセッサ359のうちの少なくとも1つを含むことがある。
【００９６】
一構成では、ワイヤレス通信のための装置1202/1202'は、複数のSSブロックのうちの少なくとも1つにおいて第2のセルのPBCHペイロードを受信するための手段であって、各SSブロックが対応するタイミング情報を備え、PBCHペイロードが、凍結ビットと、ユーザ機器に知られていない、知られていないビットと、ユーザ機器によって知られている可能性のある、知られている可能性のあるビットとを備える、手段と、連続する復号順序に基づいてPBCHを復号するための手段と、第1のセルから、セル品質を報告する前に第2のセルのセルIDに対応する複数の知られている可能性のあるビットを受信するための手段と、受信されたSSブロックから第2のセルのセルIDを検出するための手段と、第2のセルのセルIDを第1のセルに報告するための手段と、第1のセルから、セルIDを報告したことに応答して第2のセルのセルIDに対応する複数の知られている可能性のあるビットを受信するための手段とを含む。上述の手段は、上述の手段によって列挙された機能を実行するように構成された、装置1202の上述の構成要素、および/または装置1202'の処理システム1314のうちの1つまたは複数であってもよい。上で説明されたように、処理システム1314は、TXプロセッサ368、RXプロセッサ356、およびコントローラ/プロセッサ359を含んでもよい。したがって、一構成では、上述の手段は、上述の手段によって列挙された機能を実行するように構成されたTXプロセッサ368、RXプロセッサ356、およびコントローラ/プロセッサ359であってもよい。
【００９７】
開示されたプロセス/フローチャートにおけるブロックの特定の順序または階層は例示的な手法の例示であることを理解されたい。設計上の選好に基づいて、プロセス/フローチャートにおけるブロックの特定の順序または階層が再構成されることがあることを理解されたい。さらに、いくつかのブロックは組み合わされてもよく、または省略されてもよい。添付の方法クレームは、様々なブロックの要素を例示的な順序で提示したものであり、提示された特定の順序または階層に限定されるものではない。
【００９８】
上述の説明は、本明細書で説明された様々な態様を当業者が実践できるようにするために提供される。これらの態様の様々な変更が、当業者には容易に明らかになり、本明細書において規定される一般原理は、他の態様に適用されることがある。したがって、特許請求の範囲は、本明細書に示される態様に限定されるものではなく、クレーム文言と一致するすべての範囲を与えられるべきであり、単数形での要素への言及は、そのように明記されていない限り、「唯一無二の」ではなく、「1つまたは複数の」を意味するものとする。「例示的」という語は、本明細書では「例、事例、または例示として機能すること」を意味するために使用される。本明細書で「例示的」であるものとして説明されるいずれの態様も、必ずしも他の態様よりも好ましいまたは有利であると解釈されるべきではない。別段特に述べられない限り、「いくつかの」という用語は、1つまたは複数を指す。「A、B、またはCのうちの少なくとも1つ」、「A、B、またはCのうちの1つまたは複数」、「A、B、およびCのうちの少なくとも1つ」、「A、B、およびCのうちの1つまたは複数」、および「A、B、C、またはそれらの任意の組合せ」などの組合せは、A、B、および/またはCの任意の組合せを含み、複数のA、複数のB、または複数のCを含んでもよい。具体的には、「A、B、またはCのうちの少なくとも1つ」、「A、B、またはCのうちの1つまたは複数」、「A、B、およびCのうちの少なくとも1つ」、「A、B、およびCのうちの1つまたは複数」、および「A、B、C、またはそれらの任意の組合せ」などの組合せは、Aのみ、Bのみ、Cのみ、AおよびB、AおよびC、BおよびC、またはAおよびBおよびCであってもよく、任意のそのような組合せは、A、B、またはCのうちの1つまたは複数のメンバーを含んでもよい。当業者に知られているか、または後に知られることになる、本開示全体を通じて説明された様々な態様の要素に対するすべての構造的および機能的均等物が、参照により本明細書に明確に組み込まれ、特許請求の範囲によって包含されることが意図される。さらに、本明細書で開示されたものは、そのような開示が特許請求の範囲に明示的に列挙されているかどうかにかかわらず、公に供されるものではない。「モジュール」、「機構」、「要素」、「デバイス」などの単語
は、「手段」という単語の代用ではないことがある。したがって、いかなるクレーム要素も、その要素が「のための手段」という語句を使用して明確に列挙されていない限り、ミーンズプラスファンクションとして解釈されるべきではない。
【符号の説明】
【００９９】
102  基地局
104  UE
110  地理的カバレッジエリア
120  通信リンク
132  バックホールリンク
134  バックホールリンク
150  AP
152  STA
154  通信リンク
160  EPC
162  MME
164  他のMME
166  サービングゲートウェイ
168  MBMS GW
170  BM-SC
172  PDNゲートウェイ
174  HSS
176  IPサービス
180  gNB
184  ビームフォーミング
192  D2D通信リンク
198  PBCH構成要素
199  PBCH復号構成要素
310  基地局
316  TXプロセッサ
318  トランスミッタ
320  レシーバ
350  UE
352  トランスミッタ
354  レシーバ
356  RXプロセッサ
358  チャネル推定器
359  コントローラ/プロセッサ
360  メモリ
368  TXプロセッサ
370  RXプロセッサ
374  チャネル推定器
375  コントローラ/プロセッサ
376  メモリ
402  基地局
402a、402b、402c、402d、402e、402f、402g、402h  受信方向
404  UE
404a、404b、404c、404d  受信方向
600  SSブロック構造
602  SSブロックパターン構造
700  通信フロー
702  基地局
704  UE
706  基地局
902  装置
904  受信構成要素
906  送信構成要素
908  PBCH構築構成要素
910  SSブロック構成要素
950  UE
1004  プロセッサ
1006  コンピュータ可読媒体/メモリ
1010  トランシーバ
1014  処理システム
1020  アンテナ
1024  バス
1202  装置
1204  受信構成要素
1206  送信構成要素
1208  PBCH構成要素
1210  復号構成要素
1212  知られている可能性のあるビット構成要素
1214  セルID構成要素
1216  報告構成要素
1250  第2の基地局
1251  第1の基地局
1304  プロセッサ
1306  コンピュータ可読媒体/メモリ
1310  トランシーバ
1314  処理システム
1320  アンテナ
1324  バス
【図１】
2020524927.tif 000005
【図２Ａ】
2020524927.tif 000006
【図２Ｂ】
2020524927.tif 000007
【図２Ｃ】
2020524927.tif 000008
【図２Ｄ】
2020524927.tif 000009
【図３】
2020524927.tif 000010
【図４】
2020524927.tif 000011
【図５】
2020524927.tif 000012
【図６Ａ】
2020524927.tif 000013
【図６Ｂ】
2020524927.tif 000014
【図７】
2020524927.tif 000015
【図８】
2020524927.tif 000016
【図９】
2020524927.tif 000017
【図１０】
2020524927.tif 000018
【図１１】
2020524927.tif 000019
【図１２】
2020524927.tif 000020
【図１３】
2020524927.tif 000021
【図１４】
2020524927.tif 000022
【国際調査報告】
2020524927.tif 000023
2020524927.tif 000024